(57)【要約】      （修正有）【課題】内蔵した撮影用の各種装置の電源を撮影前にオンにし、撮影終了時には確実に電源をオフする。【解決手段】レンズ付きフイルムユニット１０の前面に、低輝度自動発光回路の電源スイッチ３２を露呈させる。この電源スイッチ３２は、スポーツファインダ１８がユニット本体１１の前面に倒伏する不使用位置に移動されたときに、ファインダ枠２３に押圧されて低輝度自動発光回路の電源をオフする。また、スポーツファインダ１８をユニット本体１１の上部に突出される使用位置に移動したときには、電源スイッチ３２が導通され、低輝度自動発光回路の電源がオンする。【選択図】図１
2005283920.tif 000002
【特許請求の範囲】
【請求項１】
本体の外形寸法から外部に突出される使用位置と、本体の外形寸法内に収納される不使用位置との間で移動自在とされたファインダと、電池と、この電池を電力源として動作する電気装置とを備えたレンズ付きフイルムユニットにおいて、
前記ファインダの使用位置と不使用位置との間の移動に連動して、前記電気装置の電源のオン／オフを切り替える電源スイッチを設けたことを特徴とするレンズ付きフイルムユニット。
【請求項２】
前記電気装置は、被写体の輝度を測定し、低輝度時にストロボ装置を自動的に発光させる低輝度自動発光装置であることを特徴とする請求項１記載のレンズ付きフイルムユニット。
【請求項３】
前記電気装置は、被写体の輝度を測定して、絞りを自動的に切り替える自動絞り切替装置であることを特徴とする請求項１記載のレンズ付きフイルムユニット。
【請求項４】
前記電気装置は、被写体の輝度を測定して、シャッタ速度を自動的に切り替える自動シャッタ速度切替装置であることを特徴とする請求項１記載のレンズ付きフイルムユニット。
【請求項５】
前記電気装置は、被写体までの距離を測定して、焦点距離を自動的に切り替える自動焦点距離切替装置であることを特徴とする請求項１記載のレンズ付きフイルムユニット。
【請求項６】
前記電気装置は、被写体の輝度を測定して、撮影光路内のフィルタを切り替える自動フィルタ切替装置であることを特徴とする請求項１記載のレンズ付きフイルムユニット。
【発明の詳細な説明】
【技術分野】
【０００１】
本発明は、使用時に外部に突出されるファインダと、不使用時に電源をオフする必要のある各種電気装置とが組み込まれたレンズ付きフイルムユニットに関するものである。
【背景技術】
【０００２】
予め写真フイルムが装填された簡易型カメラとして、レンズ付きフイルムユニットが各種製造販売されている。このレンズ付きフイルムユニットは、製造コストを低くするために撮影機構が簡略化されており、絞りやシャッタ速度，ストロボ光量等が固定されている。そのため、人物等の主被写体とその背景とを適正に撮影することのできる撮影条件の範囲は狭く、被写体輝度や被写体までの距離が前記範囲から外れると、撮影画質が低下してしまう。
【０００３】
レンズ付きフイルムユニットの上記欠点を解決するために、特許文献１記載のレンズ付きフイルムユニットには、被写体の輝度を測定し、この測定値に応じて絞りを切り替える自動絞り切替装置が組み込まれている。また、レンズ付きフイルムユニットの操作性をより向上させるために、被写体輝度に応じてストロボを自動発光させる低輝度自動発光装置や、自動シャッタ速度切替装置、自動焦点距離切替装置、自動フィルタ切替装置等を組み込むことも考えられている。
【０００４】
また、レンズ付きフイルムユニットのスナップ撮影機能を向上させるために、本体外部に突出される大型のファインダを備えたレンズ付きフイルムユニットが特許文献２に記載されている。また、レンズカバーを備え、このレンズカバーの開閉に連動してストロボ装置の充電のオン／オフを切り替えるようにしたレンズ付きフイルムユニットが特許文献３に記載されている。
【０００５】
【特許文献１】特開平０９−００５８１７号公報
【特許文献２】実開昭６２−０６５６３３号公報
【特許文献３】Ｗ０９９／１８４７７号公報
【発明の開示】
【発明が解決しようとする課題】
【０００６】
上記自動絞り切替装置、低輝度自動発光装置や、自動シャッタ速度切替装置、自動焦点距離切替装置、自動フィルタ切替装置等は、シャッタレリーズの前に被写体を測定しなければならないため、シャッタレリーズの前に電源をオンしなければならない。一般のコンパクトカメラであれば、メインスイッチに各種装置のスイッチを連動させたり、タイマーで自動的に電源をオフにすることができる。しかし、レンズ付きフイルムユニットでは、コスト面からこのような機能を組み込むことができないため、個々に電源スイッチを設ける必要がある。
【０００７】
しかし、上記各種装置の電源スイッチを切り忘れると、電池が消耗して撮影を行なうことができなくなるという問題があった。また、レンズ付きフイルムユニットは電池交換もできないため、電池が消耗したレンズ付きフイルムユニットは、使用不可能となってしまう。
【０００８】
本発明は、上記問題点を解決するためのもので、内蔵した撮影用の各種装置の電源を撮影前にオンにし、撮影終了時には確実に電源をオフすることのできるレンズ付きフイルムユニットを提供することを目的とする。
【課題を解決するための手段】
【０００９】
本発明のレンズ付きフイルムユニットは、本体の外形寸法から外部に突出される使用位置と、本体の外形寸法内に収納される不使用位置との間で移動自在とされたファインダと、電池と、この電池を電力源として動作する電気装置とを設け、ファインダの使用位置と不使用位置との間の移動に連動して、電気装置の電源のオン／オフを切り替える電源スイッチを設けたものである。
【００１０】
また、電気装置として、低輝度自動発光装置や、自動絞り切替装置、自動シャッタ速度切替装置、自動焦点距離切替装置、自動フィルタ切替装置等を用いた。
【発明の効果】
【００１１】
本発明のレンズ付きフイルムユニットによれば、撮影のためにファインダを使用位置に移動すると電気装置の電源がオンするため、電源をオンにし忘れて撮影ミスが発生するようなことはない。また、撮影終了後にファインダを不使用位置に収納すれば、電気装置の電源がオフされるため、電源の切り忘れにより電池が消耗することもない。
【発明を実施するための最良の形態】
【００１２】
本発明の第１実施形態について説明する。図１（Ａ），（Ｂ）は、本発明の第１実施形態を用いたレンズ付きフイルムユニットを示している。周知のように、レンズ付きフイルムユニット１０は、簡単な露光機構を備えたユニット本体１１に、予め製造時に未露光の写真フイルムを装填した一回使用型のカメラである。ユニット本体１１は、フイルム収納室、露光機構、ストロボ装置などが取り付けられる本体基部と、この本体基部を前後から覆う前カバー及び後カバーとからなる。ユニット本体１１の前面には、撮影レンズ１２、ストロボ発光部１３等が露呈している。
【００１３】
ユニット本体１１の上面には、レリーズボタン１６、撮影枚数を示すカウンタ１７、スポーツファインダ１８等が設けられている。スポーツファインダ１８は、図１（Ａ）に示すようにユニット本体１１上に突出される使用位置と、同図（Ｂ）に示すようにユニット本体１１の前面に倒伏される不使用位置との間で回動自在となるように軸支されている。ユニット本体１１の上面には、使用位置に移動されたスポーツファインダ１８を係止する一対の係止部１９が設けられている。また、ユニット本体１１の前面には、不使用位置に倒伏されたスポーツファインダ１８を係止する係止部２０が設けられている。
【００１４】
スポーツファインダ１８は、矩形のファインダ枠２３と、このファインダ枠２３内に嵌着されたファインダレンズ２４とからなる。ファインダレンズ２４としては、例えば、薄型で略平板状に成形された凹型フレネルレンズが用いられている。このスポーツファインダ１８は、レンズ付きフイルムユニット１０を顔から離した状態でフレーミングを行なうことができるため、動きの早いスポーツの撮影や、一瞬でフレーミングを行なうスナップ撮影などに好適である。
【００１５】
ユニット本体１１の前面で、スポーツファインダ１８が不使用位置に倒伏された際に、ファインダ枠２３によって隠される位置には、受光窓２７が設けられている。この受光窓２７の奥には、例えばＣｄＳ等の測光素子２８（図２参照）が組み込まれており、スポーツファインダ１８を使用位置に移動させたときには、この測光素子２８によって被写体の輝度を測定することができる。
【００１６】
受光窓２７の下には、ユニット本体１１内に組み込まれた低輝度自動発光回路３１の電源スイッチ３２が露呈されている。図３に示すように、この電源スイッチ３２は、提起度自動発光回路３１内に組み込まれた弾性を有する一対の金属接片３３，３４からなり、スポーツファインダ１８が不使用位置に倒伏されると、一方の金属接片３３の屈曲部３３ａがファインダ枠２３に押圧されてユニット本体１１内に引っ込み、他方の金属接片３４から離れることにより低輝度自動発光回路３１をオフにする。また、スポーツファインダ１８が使用位置に移動された場合には、弾性によって一方の金属接片３３が他方の金属接片３４に当接して導通することにより、低輝度自動発光回路３１をオンにする。
【００１７】
図２は、低輝度自動発光回路３１の構成を示すブロック図である。低輝度自動発光回路３１は、ストロボ回路部３６と輝度判定回路部３７とからなる。ストロボ回路部３６は、昇圧部３８と、ストロボ放電管３９と、トリガ部４０と、シンクロスイッチ４１とからなる。また、輝度判定回路部３７は、電源スイッチ３２と、測光素子２８と、受光信号処理部４３と、輝度レベル判定部４４とからなる。これらストロボ回路部３６及び輝度判定回路部３７には、レンズ付きフイルムユニット１０にセットされた電池４５によって電源が供給される。
【００１８】
スポーツファインダ１８が使用位置に移動されて電源スイッチ３２がオンすると、低輝度自動発光回路３１が作動する。測光素子２８は、受光量に応じて抵抗値が変化し、受光信号処理部４３は、被写体輝度によって変化した測光素子２８の抵抗値から測光信号を生成して輝度レベル判定部４４に入力する。輝度レベル判定部４４は、例えばコンパレータからなり、受光信号処理部４３から入力された測光信号の電圧と、予め設定されている基準電圧とを比較して被写体輝度の高低を判定する。この輝度レベル判定部４４は、被写体輝度が低いと判定した際に、ストロボ回路部３６の昇圧部３８を動作させる。
【００１９】
昇圧部３８は、電池４５から供給された電流をストロボ駆動用に昇圧して発光用のメインコンデンサと、トリガ用のトリガコンデンサとに充電する。充電完了後にレリーズボタン１６が操作されるとシャッタ機構４７が動作し、例えばシャッタ羽根でシンクロスイッチ４１押圧してオンさせる。このシンクロスイッチ４１のオンによりトリガ部４０が作動し、トリガコンデンサが放電される。これにより、ストロボ放電管３９にトリガ電圧が印加され、ストロボ放電管３９を通してメインコンデンサが放電されることによりストロボ発光が行われる。
【００２０】
この低輝度自動発光回路３１は、スポーツファインダ１８を不使用位置に倒伏することによって電源スイッチ３２がオフされるため、電源スイッチ３２の切り忘れによる電池４５の消耗は発生しない。なお、低輝度環境下の撮影時であってもストロボを発光したくない場合には、電源スイッチ３２を指で押して低輝度自動発光回路３１の電源をオフさせれば、ストロボの発光を停止させることができる。
【００２１】
次に、上記レンズ付きフイルムユニット１０に、自動絞り切替機構を組み込んだ第２実施形態について説明する。図４に示すように、自動絞り切替機構５０は、小径穴５１ａと大径穴５１ｂとを有し、軸着部５２ａによって揺動自在に軸着された絞り切替板５２と、この絞り切替板５２を揺動させるソレノイド５３とから構成されている。絞り切替板５２は、レンズ付きフイルムユニット１０のシャッタ機構中に設けられた開放絞り穴５４と撮影レンズ５５との間に配置されており、揺動することにより、絞り開口５１の小径穴５１ａと大径穴５１ｂとのいずれかを開放絞り穴５４の前方に配置して絞りを切り替える。
【００２２】
ソレノイド５３は、略筒形状の筐体５６と、この筐体５６内に軸方向に沿って移動自在となるように組み込まれた鉄製のプランジャー５７と、このプランジャー５７を電磁力によって軸方向で移動させるコイル５８と、コイルバネ５９とから構成されている。プランジャー５７には、筐体５６から突出されたアーム部５７ａが一体に設けられている。このアーム部５７ａは、シャフト５７ｂの一端側に所定の間隔を空けて２枚の円板５７ｃ，５７ｄを設けた形態をしている。コイルバネ５９は、この円板５７ｄと筐体５６との間に組み込まれて、アーム部５７ａを筐体５６から離れる突出方向に向けて付勢する。
【００２３】
図５（Ａ）に示すように、絞り切替板５２の上部には、ソレノイド５３のアーム部５７ａの円板５７ｃと円板５７ｄとの間に挿入される駆動ピン５２ｂが一体に設けられている。無通電時のソレノイド５３のプランジャー５７は、コイルバネ５９の付勢によって筐体５６から突出されている。このときの絞り切替板５２は、小径穴５１ａを開放絞り穴５４の前に配置する。また、ソレノイド５３が通電された時には、同図（Ｂ）に示すように、プランジャー５７がコイルの電磁力によって図中右方にスライドするため、アーム部５７ａのシャフト５７ｂの一部がコイルバネ５９の付勢に抗して筐体５６内に引き込まれる。このアーム部５７ａの移動により、駆動ピン５２ｂが押されて絞り切替板５２が揺動し、大径穴５１ｂが開放絞り穴５４の前方に配置される。
【００２４】
ソレノイド５３は、ドライバ６０によって駆動される。ドライバ６０は、例えばトランジスタからなり、第１実施形態で説明した輝度判定回路部３７が被写体輝度が低いときに発信する駆動信号に応じてソレノイド５３に通電を行う。そのため、スポーツファインダ１８が不使用位置に移動されたときには、輝度判定回路部３７の電源がオフされてソレノイド５３は通電されないため、電源スイッチの切り忘れによる電池の消耗は発生しない。なお、低輝度環境下の撮影時であってもストロボを発光したくない場合には、電源スイッチ３２を指で押して低輝度自動発光回路３１の電源をオフさせれば、ストロボの発光を停止させることができる。
【００２５】
次に、上記レンズ付きフイルムユニット１０に、自動シャッタ速度切替機構を組み込んだ第３実施形態について説明する。図６に示すように、自動シャッタ速度切替機構６２は、揺動式のシャッタ羽根６３と、このシャッタ羽根６３の前方で回動する切替リング６４と、この切替リング６４の回動に連動して揺動する羽根受け部材６５と、ソレノイド６６とからなる。なお、ソレノイド６６は、前述の第２実施形態のソレノイド５３と同じものであるため、詳しい説明は省略する。
【００２６】
シャッタ羽根６３は、常態ではバネ６７に付勢されて撮影光路上の撮影開口６８を塞いでいる。レンズ付きフイルムユニット１０のシャッタ機構が作動すると、シャッタ羽根６３の上部６３ａが図中左方から右方に向けて押圧され、軸着穴６３ｂを中心に図中時計方向に回動して撮影開口６８を開放する。
【００２７】
切替リング６４は、撮影光軸の周囲で回動自在とされたリング状部材であり、前方に向かって突出された駆動ピン６４ａを有している。この駆動ピン６４ａは、ソレノイド６６のアーム部６６ａの２枚の円板６６ｂ，６６ｃの間に挿入されており、プランジャ−の移動によって切替リング６４が回動される。ソレノイド６６が無通電状態のときには、アーム部６６ａがコイルバネ６６ｄの付勢によって筐体６６ｅから下方に突出され、切替リング６４は図中に示す高速シャッタ位置にセットされる。また、ソレノイド６６が通電されてアーム部６６ａがコイルバネ６６ｄの付勢に抗して上方にスライドされたときには、切替リング６４は図中反時計方向に回動して、低速シャッタ位置にセットされる。
【００２８】
切替リング６４の外周には、一対の突起６４ｂが設けられており、これらの突起６４ｂの間には、羽根受け部材６５の駆動アーム６５ｂが挟み込まれる。羽根受け部材６５は、ユニット本体１０内で回動自在に支持される軸受部６５ａと、この軸受部６５ａから突出された駆動アーム６５ｂ及び羽根受けアーム６５ｃとを有している。
【００２９】
この羽根受け部材６５の羽根受けアーム６５ｃは、図７（Ａ）に示すように、切替リング６４が高速シャッタ位置にあるときには、シャッタ羽根６３の速度切替片６３ｃの回動軌跡内に位置している。そのため、この状態でシャッタ羽根６３が回動すると、速度切替片６３ｃが羽根受け部材６５の羽根受けアーム６５ｃにぶつかり、シャッタ羽根６３の開き方向への回動が阻止されるため、シャッタ速度が高速になる。また、同図（Ｂ）に示すように、切替リング６４が低速シャッタ位置にあるときには、羽根受けアーム６５ｃはシャッタ羽根６３の速度切替片６３ｃの回動軌跡の外に位置している。そのため、速度切替片６３ｃが羽根受けアーム６５ｃにぶつからないため、シャッタ羽根６３の回動量が多くなりシャッタ速度が遅くなる。
【００３０】
ソレノイド６６は、ドライバ６９によって駆動される。ドライバ６９は、第１実施形態で説明した輝度判定回路部３７が被写体輝度が低いときに発信する駆動信号に応じてソレノイド６６に通電を行う。そのため、スポーツファインダ１８が不使用位置に移動されたときには、輝度判定回路部３７の電源がオフされてソレノイド６６は通電されないため、電源スイッチの切り忘れによる電池の消耗は発生しない。
【００３１】
次に、上記レンズ付きフイルムユニット１０に、自動フィルタ切替機構を組み込んだ第４実施形態について説明する。図８に示すように、自動フィルタ切替機構７０は、揺動式のフィルタ板７１とソレノイド７２とからなる。フィルタ板７１は、軸着穴７１ａを利用して揺動自在に軸着されており、一端が撮影レンズ７３の前方に挿脱される。なお、ソレノイド７２は、上記各実施形態のソレノイド５３及び６６と同じものであるため、詳しい説明は省略する。
【００３２】
フィルタ板７１の他端には、光軸方向に沿って配置された駆動ピン７４が一体に設けられている。この駆動ピン７４は、ソレノイド７２のアーム部７２ａの２枚の円板７２ｂ，７２ｃの間に挿入されている。ソレノイド７２が無通電状態のときには、アーム部７２ａはコイルバネ７２ｄによって下方に突出されている。駆動ピン７４によってアーム部７２ａに連係されたフィルタ板７１は、撮影レンズ７３の前方に挿入される。また、ソレノイド７２が通電されると、アーム部７２ａがコイルバネ７２ｄの付勢に抗して上方に移動され、駆動ピン７４がアーム部７２ａによって押圧されたフィルタ板７１は、図中時計方向に揺動されて撮影レンズ７３の前方から退避される。
【００３３】
ソレノイド７２は、ドライバ７６によって駆動される。ドライバ７６は、第１実施形態で説明した輝度判定回路部３７が被写体輝度が高いときに発信する駆動信号に応じてソレノイド７２に通電を行う。そのため、スポーツファインダ１８が不使用位置に移動されたときには、輝度判定回路部３７の電源がオフされてソレノイド７２は通電されないため、電源スイッチの切り忘れによる電池の消耗は発生しない。
【００３４】
フィルタ板７１としては、例えば、ＮＤフィルタやカラーフィルタ等が用いられる。また、室内や夜間の照明光の色温度に適した高感度フイルムをレンズ付きフイルムユニット１０に装填しておき、日中屋外での撮影時には高輝度を検知して色補正兼濃度補正用フィルタを挿入してもよい。また、フィルタを撮影レンズの前に常時挿入しておき、輝度に応じてフィルタ自体の濃度や色味を変化させてもよい。
【００３５】
次に、上記レンズ付きフイルムユニット１０に、自動焦点切替機構を組み込んだ第５実施形態について説明する。図９に示すように、自動焦点切替機構８０は、回動自在な切替リング８１と、撮影レンズ８２を保持したレンズホルダ８３と、ソレノイド８４と、切替リング８１とソレノイド８４とを連動させる連動レバー８５とから構成されている。なお、ソレノイド８４は、上記各実施形態のソレノイド５３，６６，７２と同じものであるため、詳しい説明は省略する。
【００３６】
連動レバー８５は、軸着穴８５ａを利用して揺動自在に軸着されており、一端に設けられた駆動ピン８５ｂがソレノイド８４のアーム部８４ａに、他端に設けられた作用ピン８５ｃが切替リング８１の長穴８１ａに挿入されている。レンズホルダ８３は、レンズ付きフイルムユニット１０内で支持されたガイド軸８３ｂによって、光軸方向に沿って移動自在とされており、バネ８６によって撮影光軸後方に付勢されている。
【００３７】
図中に示すように、ソレノイド８４が無通電状態のときには、アーム部８４ａはコイルバネ８４ｂの付勢によって上方に突出されており、切替リング８１の前面に設けられた傾斜部８１ｂによってレンズホルダ８３の当接軸８３ａを押圧している。これにより、撮影レンズ８２は撮影光軸に沿って前方に移動されるため、レンズのピント位置は近側にセットされる。
【００３８】
また、ソレノイド８４が通電されると、アーム部８４ａがコイルバネ８４ｂの付勢に抗して下方に移動され、連動レバー８５が図中反時計方向に、切替リング８１が時計方向にそれぞれ回動する。これにより、切替リング８１の傾斜部８１ｂと当接軸８３ａとが当接しなくなるため、撮影レンズ８２はバネ８６の付勢によって撮影光軸の後方に移動し、レンズのピント位置が遠側にセットされる。
【００３９】
ソレノイド８４は、ドライバ８８によって駆動される。ドライバ８８は、被写体距離を測定するオートフォーカス回路８９によって駆動される。このオートフォーカス回路８９は、第１実施形態で説明した電源スイッチ３２と同構成の電源スイッチ９０によって電源がオン／オフされるため、スポーツファインダ１８が不使用位置にセットされているときにはソレノイド８４は通電されることがなく、電源スイッチの切り忘れによる電池の消耗は発生しない。
【００４０】
なお、上記各実施形態では、各装置や機構を一つずつレンズ付きフイルムユニットに組み込んだが、各機構を適宜組み合わせてレンズ付きフイルムユニットに組み込んだり、またはすべての機構を組み込んでも良い。
【図面の簡単な説明】
【００４１】
【図１】レンズ付きフイルムユニットの外観形状を示す斜視図である。
【図２】低輝度自動発光回路の構成を示すブロック図である。
【図３】電源スイッチの構成を示す外観斜視図である。
【図４】自動絞り切替機構の構成を示す斜視図である。
【図５】自動絞り切替機構の動作状態を示す説明図である。
【図６】自動シャッタ速度切替機構の構成を示す斜視図である。
【図７】自動シャッタ速度切替機構の動作状態を示す説明図である。
【図８】自動フィルタ切替機構の構成を示す斜視図である。
【図９】自動焦点距離切替機構の構成を示す斜視図である。
【符号の説明】
【００４２】
１０  レンズ付きフイルムユニット
１１  ユニット本体
１７  受光窓
１８  スポーツファインダ
３１  低輝度自動発光回路
３２  電源スイッチ
３６  ストロボ回路部
３７  輝度判定回路部
５０  自動絞り切替機構
６０  自動シャッタ速度切替機構
７０  自動フィルタ切替機構
８０  自動焦点距離切替機構
【図１】
2005283920.tif 000003
【図２】
2005283920.tif 000004
【図３】
2005283920.tif 000005
【図４】
2005283920.tif 000006
【図５】
2005283920.tif 000007
【図６】
2005283920.tif 000008
【図７】
2005283920.tif 000009
【図８】
2005283920.tif 000010
【図９】
2005283920.tif 000011